(57)【要約】      （修正有）【課題】プリント基板の生産運転を停止させることなく、ノズルストッカ等を交換することができるようにし、ビームの稼動状況を向上させて生産効率の向上を図る。【解決手段】プリント基板Ｐに電子部品を装着している途中で、又は基板Ｐの機種切り替えの際に、ノズル交換をしなければならなくなると、フィーダベース３Ｂ上にノズルストッカ１３が共通エリア内に着脱可能に設けられているので、ノズルストッカ１３の複数のノズル収納部のうち、空きノズル収納部にビーム４Ａ又は４Ｂに設けられたいずれかの装着ヘッド７から交換が必要な吸着ノズル９を取り外して収納し、代わりに他のノズル収納部に収納されている必要な吸着ノズルを取出しながら自動的にこの装着ヘッド７に装着して、ノズル交換がなされる。【選択図】図１
2010109193.tif 000002
【特許請求の範囲】
【請求項１】
プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、前記フィーダベース上に種々の前記吸着ノズルを収納するノズルストッカを着脱可能に設けたことを特徴とする電子部品装着装置。
【請求項２】
プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、電子部品を装着するプリント基板が配設可能な配設エリア以外の両装着ヘッドがお互いに移動して入り込むことができる共通エリアに、種々の前記吸着ノズルを収納するノズルストッカを配設したことを特徴とする電子部品装着装置。
【請求項３】
前記ノズルストッカを奥側又は手前側のいずれかの共通エリアに配設したことを特徴とする請求項２に記載の電子部品装着装置。
【請求項４】
プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、前記フィーダベース上に前記吸着ノズルに吸着保持された電子部品のリード浮きを検査するリード浮き検査装置を設けたことを特徴とする電子部品装着装置。
【請求項５】
プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、電子部品を装着するプリント基板が配設可能な配設エリア以外の両装着ヘッドがお互いに移動して入り込むことができる共通エリアに、前記吸着ノズルに吸着保持された電子部品のリード浮きを検査するリード浮き検査装置を設けたことを特徴とする電子部品装着装置。
【請求項６】
前記リード浮き検査装置を奥側又は手前側のいずれかの共通エリアに配設したことを特徴とする請求項５に記載の電子部品装着装置。
【発明の詳細な説明】
【技術分野】
【０００１】
本発明は、プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置に関する。
【背景技術】
【０００２】
この種の電子部品装着装置は、例えば、特許文献１などに開示されている。一般に、電子部品を供給する部品供給装置はプリント基板を搬送する搬送装置の両外方にそれぞれ設けられ、装着ヘッドを備えたビームは前記各部品供給装置に対応して一対設けられる。即ち、各ビームと各部品供給装置は対応しており、一方のビームの装着ヘッドは対応する部品供給装置のみから電子部品を取出してプリント基板上に装着するのが一般的である。
【０００３】
また、装着ヘッドに取り付けられた吸着ノズルを電子部品の種類に応じて吸着ノズルを交換するためのノズルストッカを備えた電子部品装着装置にあっては、ときに開閉扉を開けて前記ノズルストッカを装置内から取り出して、このノズルストッカを交換する場合が起こるが、この交換のために前記開閉扉を開けると電子部品装着装置の生産運転が停止することとなってしまい、プリント基板の生産効率の向上が図れないという問題がある。更には、このようなノズルストッカに限らず、吸着ノズルに吸着保持された電子部品のリード浮きを検査するリード浮き検査装置等も、生産運転を停止することなく、交換できることが望まれる。
【特許文献１】特開２００６−２８６７０７号公報
【発明の開示】
【発明が解決しようとする課題】
【０００４】
しかし、ときに部品供給装置が供給する電子部品の種類等の関係から必ずしも、各ビームと各部品供給装置を対応させる必要もなく、また生産運転を停止することなく、ノズルストッカ等を交換することができない。
【０００５】
そこで、本発明は上述せる課題に鑑み、プリント基板の生産運転を停止させることなく、ノズルストッカ等を交換することができるようにし、ビームの稼動状況を向上させて生産効率の向上を図ることを目的とする。
【課題を解決するための手段】
【０００６】
このため第１の発明は、プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、前記フィーダベース上に種々の前記吸着ノズルを収納するノズルストッカを着脱可能に設けたことを特徴とする。
【０００７】
第２の発明は、プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが着脱可能に設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、電子部品を装着するプリント基板が配設可能な配設エリア以外の両装着ヘッドがお互いに移動して入り込むことができる共通エリアに、種々の前記吸着ノズルを収納するノズルストッカを配設したことを特徴とする。
【０００８】
第３の発明は、第２の発明において、前記ノズルストッカを奥側又は手前側のいずれかの共通エリアに配設したことを特徴とする。
【０００９】
第４の発明は、プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、前記フィーダベース上に前記吸着ノズルに吸着保持された電子部品のリード浮きを検査するリード浮き検査装置を設けたことを特徴とする。
【００１０】
第５の発明は、プリント基板を搬送する搬送装置と、電子部品を供給するもので前記搬送装置の両外方においてフィーダベース上に設けられる部品供給装置と、駆動源により一方向に移動可能な一対のビームと、それぞれ吸着ノズルが設けられ前記各ビームに沿った方向に各駆動源により移動可能な装着ヘッドとを備えた電子部品装着装置において、前記各駆動源を駆動して前記各ビームに設けられた装着ヘッドの吸着ノズルによりいずれの前記部品供給装置からも電子部品を取出せるように構成すると共に、電子部品を装着するプリント基板が配設可能な配設エリア以外の両装着ヘッドがお互いに移動して入り込むことができる共通エリアに、前記吸着ノズルに吸着保持された電子部品のリード浮きを検査するリード浮き検査装置を設けたことを特徴とする。
【００１１】
第６の発明は、第５の発明において、前記リード浮き検査装置を奥側又は手前側のいずれかの共通エリアに配設したことを特徴とする。
【発明の効果】
【００１２】
本発明は、プリント基板の生産運転を停止させることなく、ノズルストッカやリード浮き検査装置を修理、交換することができるようにし、ビームの稼動状況を向上させて生産効率の向上を図ることができる。
【発明を実施するための最良の形態】
【００１３】
以下図１に基づき、プリント基板上に電子部品を装着する電子部品装着装置について、実施の形態を説明する。電子部品装着装置１には、プリント基板Ｐを搬送する搬送装置２と、電子部品を供給する部品供給装置と、駆動源により一方向（Ｙ方向）に移動可能な一対のビーム４Ａ、４Ｂと、前記各ビーム４Ａ、４Ｂに沿った方向（Ｘ方向）に各駆動源により移動可能な取付体６とが設けられている。この取付体６には、複数本の吸着ノズル９が設けられた装着ヘッド７と、プリント基板Ｐに付された認識マークを撮像する基板認識カメラ８とが取り付けられている。
【００１４】
前記搬送装置２は電子部品装着装置１の前後の中間部にＸ方向（図１では左右方向）にプリント基板Ｐを搬送するように配設され、上流側装置からプリント基板Ｐを受け継ぐ基板供給部と、前記各装着ヘッド７の吸着ノズル９に吸着保持された電子部品を装着するために基板供給部から供給されたプリント基板Ｐを位置決め固定する位置決め部と、この位置決め部で電子部品が装着されたプリント基板Ｐを受け継いで下流側装置に搬送する排出部とから構成される。そして、図１の搬送装置２は、この搬送装置２が扱うことができるＹ方向が最長のプリント基板Ｐに合わせて、Ｙ方向を調整した状態を示している。
【００１５】
前記部品供給装置は前記搬送装置２の前後の両外方にそれぞれ配設され、キャスターを備えたカートが電子部品装着装置１の装置本体に着脱可能に取り付けられ、このカート上面のフィーダベース３Ａ、３Ｂ上には種々の電子部品を夫々部品吸着位置（部品取出し位置）に１個ずつ供給する部品供給ユニットが複数並設される。この部品供給ユニットは、カバーテープを剥離すると共に収納テープに所定間隔毎に形成された収納凹部内に格納された電子部品を間欠送りをして部品吸着位置に送り、前記吸着ノズルが取り出せるようにしたものである。
【００１６】
Ｘ方向に長い前後一対の前記ビーム４Ａ、４Ｂは、各Ｙ方向リニアモータの駆動により左右一対の前後に延びたガイドに沿って前記各ビームに固定されたスライダが摺動して個別にＹ方向に移動する。前記Ｙ方向リニアモータは、左右一対の基体１Ａ、１Ｂに沿って固定された上下一対の固定子と、前記ビーム４Ａ、４Ｂの両端部に設けられた取付板の下部に固定された可動子１０Ａとから構成される。
【００１７】
また、前述したように、前記ビーム４Ａ、４Ｂにはその長手方向（Ｘ方向）にＸ方向リニアモータによりガイドに沿って移動する装着ヘッド７が夫々内側に設けられており、前記Ｘ方向リニアモータは各ビーム４Ａ、４Ｂに固定された前後一対の固定子と、各固定子の間に位置して前記装着ヘッド７に設けられた可動子とから構成される。
【００１８】
そして、前記吸着ノズル９は上下軸モータにより昇降可能であり、またθ軸モータにより装着ヘッド７を鉛直軸周りに回転させることにより、結果として各装着ヘッド７の各吸着ノズル９はＸ方向及びＹ方向に移動可能であり、垂直線回りに回転可能で、且つ上下動可能となっている。
【００１９】
また、各装着ヘッド７は向き合うように各ビーム４Ａ、４Ｂの内側に設けられ、前記搬送装置２の位置決め部上のプリント基板Ｐや部品供給装置の部品吸着位置上方を移動する。即ち、前記ビーム４Ａ、４Ｂに対応するＹ方向リニアモータ及びＸ方向リニアモータが制御されて、前記各ビーム４Ａ、4Ｂに設けられた装着ヘッド７の吸着ノズル９によりいずれの前記部品供給装置からも電子部品を取出せるようにしたものである。
【００２０】
具体的には、奥側のビーム４Ａに設けられた装着ヘッド７の吸着ノズル９は奥側のフィーダベース３Ａ上の部品供給ユニットから電子部品を取出すと共に手前側のビーム４Ｂに設けられた装着ヘッド７の吸着ノズル９は手前側のフィーダベース３Ｂ上の部品供給ユニットから電子部品を取出すが、これに加えて、Ｙ方向が最長のプリント基板を配設可能な配設エリアに限らず、両装着ヘッド７がお互いに移動して入り込むことができる共通エリアを広げる。即ち、各装着ヘッド７、７が各ビーム４Ａ、４Ｂの外側ではなく対向した側（内側）に設けられ、奥側のビーム４Ａに設けられた装着ヘッド７の吸着ノズル９は奥側のフィーダベース３Ａ上の部品供給ユニットに加えて手前側のフィーダベース３Ｂ上の部品供給ユニットからも電子部品を取出すことができるようにし、また同様に手前側のビーム４Ｂに設けられた装着ヘッド７の吸着ノズル９は手前側のフィーダベース３Ｂ上の部品供給ユニットに加えて奥側のフィーダベース３Ａ上の部品供給ユニットからも電子部品を取出すことができるように、共通エリアは広げられる。
【００２１】
この場合、両ビーム４Ａ、４Ｂに設けられた装着ヘッド７はお互いに衝突しないように制御され、特に両装着ヘッド７の吸着ノズル９が併行して一方のフィーダベース３Ａ又は３Ｂ上の部品供給ユニットから電子部品を取出す場合には、例えば各装着ヘッド７は各部品供給装置の左半分又は右半分の領域の部品供給ユニットから取出すというように分けることにより、衝突しないようにすることができる。
【００２２】
なお、１２、１２は各装着ヘッド７に設けられた吸着ノズル９に吸着保持された電子部品をそれぞれ一括して撮像する部品認識カメラで、前記共通エリア内ではあるが対応する装着ヘッド７毎に設けられる。
【００２３】
そして、手前側のフィーダベース３Ｂ上には、前記部品供給ユニットばかりか、種々の前記吸着ノズル９を収納するノズルストッカ１３が前記共通エリア内に長手方向を前後方向にした状態で着脱可能に設けられる。このノズルストッカ１３の複数のノズル収納部のうち、吸着ノズルが収納されていない空きノズル収納部にビーム４Ａ又は４Ｂに設けられたいずれかの装着ヘッド７から交換が必要な吸着ノズル９を取り外して収納し、代わりに他のノズル収納部に収納されている必要な吸着ノズルを取出しながら自動的にこの装着ヘッド７に装着し、いわゆるノズル交換に供される。
【００２４】
また、同じくフィーダベース３Ｂ上には、前記吸着ノズルに吸着保持された電子部品のリード浮きを検査するリード浮き検査装置１４も前記共通エリア内に着脱可能に設けられる。即ち、多数のピン２２を有する電子部品２１のリフロー工程での半田付け不良(いわゆるリード浮きで、足の上下曲りに起因)の発生を防止するため、当該電子部品２１については、部品実装前にリード浮き検査装置１４がリード浮き検査を実施して、曲りの許容値を超えるものはプリント基板Ｐに装着された場合に基板面から離れて浮いてしまい、そのような浮いたリードは基板Ｐのランドと半田接合されないので、このような電子部品はプリント基板Ｐ上に装着しないように構成する。
【００２５】
図２に基づいて、リード浮き検査装置１４について説明すると、一対のラインＣＣＤ２５が同一直線上に配設され、複数個のＬＥＤ等の光源２６から発せられた光がラインＣＣＤ２５と同一方向に並ぶ1列のリード群に二方向から照射され、各リード２２から反射された光がレンズ２７を介してラインＣＣＤ２５上に照射され、各リード２２について一対のラインＣＣＤ２５に検出された投影位置の差がリード２２の浮き量として現れる。即ち、あるリード２２のみが上方に曲ってその下端位置が他のリード２２より上方にある場合、その下端位置が他のリード２２の下端位置が形成する基準となる平面よりどれくらい離れているかが、浮き量として検出されるものである。
【００２６】
なお、電子部品装着装置１の前部及び後部には上面及び両側面に装置内部が見えるような透明部を有し、外面下部には取っ手を有する開閉扉が開閉可能に設けられており、この各開閉扉は少なくとも上面開口を開閉するもので、必ずしも側面開口を開閉するものでなくともよい。
【００２７】
以上の構成により、以下動作について説明する。先ず、プリント基板Ｐが上流側装置（図示せず）より受継がれて搬送装置２の供給部上に存在すると、供給部上のプリント基板Ｐを位置決め部へ移動させ、このプリント基板Ｐ位置決めをして固定する。
【００２８】
そして、プリント基板Ｐの位置決めがされると、手前側のビーム４ＢがＹ方向リニアモータの駆動により前後に延びたガイドに沿って可動子１０Ａが摺動してＹ方向に移動すると共にＸ方向リニアモータにより装着ヘッド７がＸ方向に移動し、手前側のフィーダベース３Ｂ上の部品供給ユニットの部品吸着位置上方まで移動して上下軸モータの駆動により吸着ノズル９を下降させてこの部品供給ユニットから次々に電子部品を取出す。
【００２９】
また、手前側の装着ヘッド７の吸着ノズル９による電子部品の取出しの後、或いは取出しているときに、奥側のビーム４ＡがＹ方向リニアモータの駆動によりＹ方向に移動すると共にＸ方向リニアモータにより装着ヘッド７がＸ方向に移動し、奥側のフィーダベース３Ａ上の部品供給ユニットばかりか、手前側のフィーダベース３Ｂ上の部品供給ユニットの部品吸着位置上方まで移動して上下軸モータの駆動により吸着ノズル９を下降させて部品供給ユニットから電子部品を次々と取出すことができる。但し、手前側のビーム４Ｂ及び奥側のビーム４Ａの吸着ノズル９が併行して取出し動作をする場合には、両ビーム４Ｂ、４Ａの装着ヘッド７が衝突しないように対応する各Ｙ方向リニアモータ及びＸ方向リニアモータは制御される。
【００３０】
また、手前側のビーム４Ｂの装着ヘッド７が前後いずれの部品供給装置の左半分の部品供給ユニットから電子部品を取出すと共に奥側のビーム４Ａの装着ヘッド７がこの部品供給装置の右半分の部品供給ユニットから電子部品を取出す場合に限らず、前記ビーム４Ａ及び／又は４Ｂが他方から遠ざかるようにＹ方向に移動して両装着ヘッド７が衝突しない位置に移動した後、両装着ヘッド７をＸ方向に移動させると共に前記ビーム４Ａ及び／又は４Ｂを近づくようにＹ方向に移動させて、手前側のビーム４Ｂの装着ヘッド７がこの部品供給装置の右半分の部品供給ユニットから電子部品を取出すと共に奥側のビーム４Ａの装着ヘッド７がこの部品供給装置の左半分の部品供給ユニットから電子部品を取出すこともできる。
【００３１】
即ち、Ｙ方向については両ビーム４Ｂ、４Ａが必要以上に近づかないように制御されると共にＸ方向については両装着ヘッド７が必要以上に近づかないように制御されて、両ビーム４Ｂ、４Ａの装着ヘッド７の衝突が防止される。
【００３２】
そして、取出した後は両装着ヘッド７の吸着ノズル９を上昇させて、両ビーム４Ａ、４Ｂの装着ヘッド７を対応する部品認識カメラ１２、１２の上方を通過させ、この移動中に部品認識カメラ１２、１２は両装着ヘッド７の吸着ノズル９に吸着保持された複数の電子部品を一括して撮像して、この撮像された画像を認識処理装置が認識処理して吸着ノズル９に対する位置ズレを把握することができる。
【００３３】
その後、ビーム４Ａ又は４Ｂの基板認識カメラ８をプリント基板Ｐ上方へ移動させて、位置決めされているプリント基板Ｐに付された位置決めマークを撮像し、この撮像された画像を認識処理装置が認識処理してプリント基板Ｐの位置を把握する。そして、装着データの装着座標にプリント基板Ｐの位置認識結果及び各部品認識処理結果を加味して、各装着ヘッド７の吸着ノズル９が位置ずれを補正しつつ、それぞれ電子部品をプリント基板Ｐ上に装着する。
【００３４】
この場合、奥側のビーム４Ａの装着ヘッド７の吸着ノズル９による電子部品のプリント基板Ｐへの装着の後、或いは装着しているときに、手前のビーム４Ｂの装着ヘッド７の吸着ノズル９による電子部品のプリント基板Ｐへの装着することができる。但し、奥側のビーム４Ａ及び手前側のビーム４Ｂの吸着ノズル９が併行して装着動作をする場合には、両ビーム４Ａ、４Ｂの装着ヘッド７が衝突しないように対応するＹ方向リニアモータ及びＸ方向リニアモータが制御される。
【００３５】
また、手前側のビーム４Ｂの装着ヘッド７がプリント基板Ｐの左半分の領域に電子部品を装着すると共に奥側のビーム４Ａの装着ヘッド７がプリント基板Ｐの右半分の領域に電子部品を装着する場合に限らず、前記ビーム４Ａ及び／又は４Ｂが他方から遠ざかるようにＹ方向に移動して両装着ヘッド７が衝突しない位置に移動した後、両装着ヘッド７をＸ方向に移動させると共に前記ビーム４Ａ及び／又は４Ｂを近づくようにＹ方向に移動させて、手前側のビーム４Ｂの装着ヘッド７がプリント基板Ｐの右半分の領域に電子部品を装着すると共に奥側のビーム４Ａの装着ヘッド７がプリント基板Ｐの左半分の領域に電子部品を装着することもできる。
【００３６】
以上のように、搬送装置２の両外方に設けられた部品供給装置のいずれかにおいても、ビーム４Ａ又は４Ｂの装着ヘッド７の吸着ノズル９が電子部品を取出すことができ、しかも併行して取出すことができる。また、手前側のビーム４Ｂの装着ヘッド７の吸着ノズル９と奥側のビーム４Ａの装着ヘッド７の吸着ノズル９とでプリント基板Ｐ上に電子部品を併行して装着することもできる。
【００３７】
そして、このプリント基板Ｐに電子部品を装着している途中で、或いはプリント基板Ｐの機種切り替えの際に、各装着ヘッド７に取り付けられている吸着ノズル９では電子部品を部品供給装置から取出すことができなくなる事態が発生すると、ノズル交換をしなければならなくなる。この場合、手前側のフィーダベース３Ｂ上にノズルストッカ１３が前記共通エリア内に着脱可能に設けられているので、ノズルストッカ１３の複数のノズル収納部のうち、吸着ノズル９が収納されていない空きノズル収納部にビーム４Ａ又は４Ｂに設けられたいずれかの装着ヘッド７から交換が必要な吸着ノズル９を取り外して収納し、代わりに他のノズル収納部に収納されている必要な吸着ノズルを取出しながら自動的にこの装着ヘッド７に装着して、ノズル交換がなされる。
【００３８】
このように、ノズルストッカ１３を手前側のフィーダベース３Ｂ上に着脱可能に設けて、手前側及び奥側のビーム４Ａ及び４Ｂの装着ヘッド７について、ノズル交換することができるから、安価に構成することができる。
【００３９】
また、プリント基板Ｐに電子部品を装着する際に、吸着ノズル９に吸着保持されている電子部品が多数のピン２２を有する電子部品２１である場合には、この電子部品２１を吸着保持しているビーム４Ａ又は４Ｂに設けられた装着ヘッド７が前記共通エリア内のフィーダベース３Ｂ上に設けられたリード浮き検査装置１４上方に移動し、部品実装前にリード浮き検査がされる。
【００４０】
そして、曲りの許容値を超える電子部品はプリント基板Ｐ上に装着しないように制御され、回収箱（図示せず）に落下され、同種の電子部品２１はいずれかの部品供給装置から再度取出されることとなり、許容値を超えない電子部品は装着されるように制御される。
【００４１】
なお、以上の実施形態においては、フィーダベース３Ｂ上にノズルストッカ１３及びリード浮き検査装置１４を着脱自在に設けたが、フィーダベース３Ｂには設けないでフィーダベース３Ａ上に両者を設けてもよく、またノズルストッカ１３とリード浮き検査装置１４とを分けてフィーダベース３Ａ又は３Ｂ上に設けても良い。また、フィーダベース３Ａ及び３Ｂともに、ノズルストッカ１３及びリード浮き検査装置１４を設けてもよい。
【００４２】
更には、フィーダベース３Ｂ（又は３Ａ）にノズルストッカ１３及びリード浮き検査装置１４を着脱自在に設けると共に、図１及ぶ図３の点線に示すように、プリント基板Ｐが配設可能な配設エリア（共通エリアでもある。）以外の両装着ヘッド７がお互いに移動して入り込むことができる共通エリアにノズルストッカ１３及びリード浮き検査装置１４を設けてもよい。このように、ノズルストッカ１３及びリード浮き検査装置１４を各２個設けることにより、互いに融通しあえて、より便利となる。
【００４３】
即ち、ノズルストッカ１３及びリード浮き検査装置１４をフィーダベース３Ａ及び／又は３Ｂに各１個設けてもよく、また前述した共通エリアに各１個又は各２個設けてもよい。この場合、図３は、共通エリア内に電子部品装着装置の前後方向の長さを長くしないように、長手方向を左右方向にした状態のノズルストッカ１３及びリード浮き検査装置１４を各２個設けた実施形態を示す。
【００４４】
以上のように、各ビーム４Ａ、４Ｂに設けられた装着ヘッド７の吸着ノズル９により前後いずれの部品供給装置からも電子部品を取出せるように構成すると共に、前記フィーダベース上に種々の前記吸着ノズルを収納するノズルストッカ１３を着脱可能に設けたから、電子部品装着装置１の前部及び後部に設けられ上面開口を開閉する開閉扉を開けると電子部品装着装置が停止するが、この開閉扉を開けることなく、ノズルストッカ１３の交換や修理をすることができる。
【００４５】
また、各ビーム４Ａ、４Ｂに設けられた装着ヘッド７の吸着ノズル９により前後いずれの部品供給装置からも電子部品を取出せるように構成すると共に、電子部品を装着するプリント基板Ｐが配設可能な配設エリア以外の両装着ヘッド７がお互いに移動して入り込むことができる共通エリアに、前記ノズルストッカ１３を奥側の共通エリア又は手前側の共通エリアのいずれかに配設したから、一つのノズルストッカ１３で両ビーム４Ａ、４Ｂに設けられた装着ヘッド７に取り付けられた吸着ノズル９の交換が行え、安価に製作することができる。
【００４６】
更には、各ビーム４Ａ、４Ｂに設けられた装着ヘッド７の吸着ノズル９により前後いずれの部品供給装置からも電子部品を取出せるように構成すると共に、前記フィーダベース上に吸着ノズル９に吸着保持された電子部品のリード浮きを検査するリード浮き検査装置１４を設けたから、電子部品装着装置１の前部及び後部に上面開口を開閉する開閉扉を開けると電子部品装着装置が停止するが、この開閉扉を開けることなく、リード浮き検査装置１４の交換や修理をすることができる。
【００４７】
また、各ビーム４Ａ、４Ｂに設けられた装着ヘッド７の吸着ノズル９により前後いずれの部品供給装置からも電子部品を取出せるように構成すると共に、電子部品を装着するプリント基板が配設可能な配設エリア（共通エリアでもある。）以外の両装着ヘッド７がお互いに移動して入り込むことができる共通エリアに、前記リード浮き検査装置１４を設けたから、一つのリード浮き検査装置１４で両ビーム４Ａ、４Ｂに設けられた装着ヘッド７に取り付けられた吸着ノズル９に保持された電子部品のリード浮きを検査することができ、安価に製作することができる。
【００４８】
いずれの部品供給装置に対しても、両装着ヘッド７、７がお互いに移動して入り込むことができるようにしたから、一側のみにノズルストッカ１３、リード浮き検査装置１４を置けばよいので、省スペースとなるが、両側に置いてもよい。
【００４９】
また、いずれの部品供給装置に対しても、両装着ヘッド７、７がお互いに移動して入り込むことができるようにしない場合でも、フィーダベース上にノズルストッカ１３或いはリード浮き検査装置１４を置くことは良く、基板実装ラインを構成する上流又は下流の電子部品装着装置等の装置との間隔が狭い場合（電子部品装着装置間に基板搬送コンベアが無い又は短い場合等で装置の横に作業者が入り込めない場合）でも、ノズルストッカ１３の交換作業、ノズルストッカ１３或いはリード浮き検査装置１４の補修、点検の作業等を容易に行うことができる。
【００５０】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００５１】
【図１】電子部品装着装置の概略平面図である。
【図２】リード浮き検査装置の側面図である。
【図３】他の実施形態の電子部品装着装置の概略平面図である。
【符号の説明】
【００５２】
１            電子部品装着装置
２            搬送装置
３Ａ、３Ｂ    フィーダベース
４Ａ、４Ｂ    ビーム
７            装着ヘッド
９            吸着ノズル
１３          ノズルストッカ
１４          リード浮き検査装置
【図１】
2010109193.tif 000003
【図２】
2010109193.tif 000004
【図３】
2010109193.tif 000005